(57)【特許請求の範囲】
【請求項１】
少なくとも映像情報から成るコンテンツと、当該コンテンツを識別するためのコンテンツ識別情報と、が関連付けられた１以上の録画データと、当該各録画データの再生回数に関する付帯情報と、を記憶する記憶手段と、
前記コンテンツに基づいて、前記録画データの要約データを生成する要約データ生成手段と、
前記コンテンツ識別情報を一覧表示した識別情報リストを生成するリスト生成手段と、
生成した前記識別情報リストと、生成した少なくとも１の前記要約データの再生映像と、を同一画面に表示させる表示制御手段と、
前記付帯情報に基づいて、前記各要約データの再生時間を可変させる再生制御手段と、を備えたことを特徴とする録画データ再生装置。
【請求項２】
前記各コンテンツ識別情報には、前記各コンテンツの番組タイトルが更に含まれることを特徴とする請求項１に記載の録画データ再生装置。
【請求項３】
前記識別情報リストから、任意の１の前記コンテンツ識別情報を選択する手動選択手段、を更に備え、
前記表示制御手段は、
選択された前記コンテンツ識別情報を含む前記録画データを要約した前記要約データの再生映像を表示させることを特徴とする請求項１に記載の録画データ再生装置。
【請求項４】
前記識別情報リストから、前記コンテンツ識別情報を順に選択する自動選択手段、を更に備え、
前記表示制御手段は、
選択された前記コンテンツ識別情報を含む前記録画データを要約した前記要約データの再生映像を表示させることを特徴とする請求項１に記載の録画データ再生装置。
【請求項５】
前記表示制御手段は、
前記録画データの通常再生を指示する再生ボタン、前記録画データの編集を指示する編集ボタン、および前記録画データの消去を指示する消去ボタン、の少なくとも１を、前記同一画面に更に表示させることを特徴とする請求項１に記載の録画データ再生装置。
【請求項６】
前記コンテンツ識別情報は、録画開始日時および録画チャンネルを含むとともに、
前記記憶手段は、前記各録画データの再生回数に関する付帯情報を記憶しており、
前記リスト生成手段は、前記コンテンツ識別情報および前記付帯情報の少なくとも一方に基づいて、前記識別情報リストの前記コンテンツ識別情報を並べ替えることを特徴とする請求項１に記載の録画データ再生装置。
【請求項７】
前記表示制御手段は、
前記並べ替えを指示する並び替えボタンを前記同一画面に更に表示させることを特徴とする請求項６に記載の録画データ再生装置。
【請求項８】
前記表示制御手段は、
前記識別情報リストの前記各コンテンツ識別情報に対応させて、当該コンテンツ識別情報を含む前記録画データを要約した前記要約データの一部となるサムネイルを、更に表示させることを特徴とする請求項１に記載の録画データ再生装置。
【請求項９】
少なくとも映像情報から成るコンテンツと、当該コンテンツを識別するためのコンテンツ識別情報と、が関連付けられた複数の録画データを記憶する記憶手段と、
前記コンテンツに基づいて、前記録画データの要約データを生成する要約データ生成手段と、
前記コンテンツ識別情報を一覧表示した識別情報リストを生成するリスト生成手段と、
生成した前記識別情報リストと、生成した複数の前記要約データの再生映像と、を同一画面に表示させる表示制御手段と、
表示装置に前記要約データを再生表示させながら前記録画データの再生候補の検索を行うための再生検索手段と、
前記表示装置に前記要約データを再生表示させながら前記録画データの消去候補の検索を行うための消去検索手段と、を備え、
前記再生検索手段における前記要約データの再生時間に比して、前記消去検索手段における前記要約データの再生時間が短いことを特徴とする録画データ再生装置。
【請求項１０】
コンテンツと、当該コンテンツを識別するためのコンテンツ識別情報が関連付けられた１以上の記録データを取得する記録データ取得手段と、
前記各記録データの再生回数に関する付帯情報を、前記コンテンツに対応付けて記憶する記憶手段と、
前記コンテンツに基づいて、前記記録データの要約データを生成する要約データ生成手段と、
前記コンテンツ識別情報を一覧表示した識別情報リストを生成するリスト生成手段と、
生成した前記識別情報リストと、生成した少なくとも１の前記要約データを、同一画面に表示させる表示制御手段と、を備え、
前記付帯情報に基づいて、前記各要約データの再生時間を異ならせることを特徴とするコンテンツ制御システム。
【請求項１１】
コンテンツと、当該コンテンツを識別するためのコンテンツ識別情報が関連付けられた複数の記録データを取得する記録データ取得手段と、
前記コンテンツに基づいて、前記記録データの要約データを生成する要約データ生成手段と、
前記コンテンツ識別情報を一覧表示した識別情報リストを生成するリスト生成手段と、
生成した前記識別情報リストと、生成した複数の前記要約データを、同一画面に表示させる表示制御手段と、
前記表示装置に前記要約データを再生表示させながら前記記録データの再生候補の検索を行うための再生検索手段と、
前記表示装置に前記要約データを再生表示させながら前記記録データの消去候補の検索を行うための消去検索手段と、を備え、
前記再生検索手段における前記要約データの再生時間に比して、前記消去検索手段における前記要約データの再生時間が短いことを特徴とするコンテンツ制御システム。
【請求項１２】
請求項１ないし９のいずれか１項に記載の録画データ再生装置、若しくは請求項１０または１１に記載のコンテンツ制御システムにおける前記同一画面を表示する表示装置。
【請求項１３】
請求項１ないし９のいずれか１項に記載の録画データ再生装置、若しくは請求項１０または１１に記載のコンテンツ制御システムにおける前記表示制御手段によって前記同一画面に表示される前記識別情報リストから、任意の１の前記コンテンツ識別情報を選択するための操作装置。
【請求項１４】
少なくとも映像情報から成るコンテンツと、当該コンテンツを識別するためのコンテンツ識別情報と、が関連付けられた１以上の録画データと、当該各録画データの再生回数に関する付帯情報と、を記憶する工程と、
前記コンテンツに基づいて、前記録画データの要約データを生成する工程と、
前記コンテンツ識別情報を一覧表示した識別情報リストを生成する工程と、
生成した前記識別情報リストと、生成した少なくとも１の前記要約データの再生映像と、を同一画面に表示させる工程と、
前記付帯情報に基づいて、前記各要約データの再生時間を可変させる工程と、を備えたことを特徴とする再生方法。
【請求項１５】
少なくとも映像情報から成るコンテンツと、当該コンテンツを識別するためのコンテンツ識別情報と、が関連付けられた複数の録画データを記憶する工程と、
前記コンテンツに基づいて、前記録画データの要約データを生成する工程と、
前記コンテンツ識別情報を一覧表示した識別情報リストを生成する工程と、
生成した前記識別情報リストと、生成した複数の前記要約データの再生映像と、を同一画面に表示させる工程と、
表示装置に前記要約データを再生表示させながら前記録画データの再生候補の検索を行う工程と、
前記表示装置に前記要約データを再生表示させながら前記録画データの消去候補の検索を行う工程と、を備え、
前記再生候補の検索を行う場合の前記要約データの再生時間に比して、前記消去候補の検索を行う場合の前記要約データの再生時間が短いことを特徴とする再生方法。
【請求項１６】
コンテンツと、当該コンテンツを識別するためのコンテンツ識別情報が関連付けられた１以上の記録データを取得する工程と、
前記各記録データの再生回数に関する付帯情報を、前記コンテンツに対応付けて記憶する工程と、
前記コンテンツに基づいて、前記記録データの要約データを生成する工程と、
前記コンテンツ識別情報を一覧表示した識別情報リストを生成する工程と、
生成した前記識別情報リストと、生成した少なくとも１の前記要約データを、同一画面に表示させる工程と、を備え、
前記付帯情報に基づいて、前記各要約データの再生時間を異ならせることを特徴とするコンテンツ制御方法。
【請求項１７】
コンテンツと、当該コンテンツを識別するためのコンテンツ識別情報が関連付けられた複数の記録データを取得する工程と、
前記コンテンツに基づいて、前記記録データの要約データを生成する工程と、
前記コンテンツ識別情報を一覧表示した識別情報リストを生成する工程と、
生成した前記識別情報リストと、生成した複数の前記要約データを、同一画面に表示させる工程と、
前記表示装置に前記要約データを再生表示させながら前記記録データの再生候補の検索を行うための工程と、
前記表示装置に前記要約データを再生表示させながら前記記録データの消去候補の検索を行うための工程と、を備え、
前記再生候補の検索を行う場合の前記要約データの再生時間に比して、前記消去候補の検索を行う場合の前記要約データの再生時間が短いことを特徴とするコンテンツ制御方法。
【請求項１８】
コンピュータを、請求項１ないし９のいずれか１項に記載の録画データ再生装置、若しくは請求項１０または１１に記載のコンテンツ制御システムにおける各手段として機能させるためのプログラム。
【発明の詳細な説明】
【技術分野】
【０００１】
本発明は、少なくとも映像情報から成るコンテンツを録画した録画データを再生する録画データ再生装置、コンテンツ制御システム、表示装置、操作装置、再生方法、コンテンツ制御方法およびプログラムに関するものである。
【背景技術】
【０００２】
近年、放送やネットワークによって配信される少なくとも映像情報を含むコンテンツを録画しておき、後日録画したコンテンツを再生して視聴することがよく行われている。そして、録画データを記憶する記憶容量の増加に伴い、例えばユーザがキーワードを入力し、入力されたキーワードにヒットするテレビ番組全てを録画するというように、録画方法が多様になり録画データの数も膨大なものとなってきている。そこで、記憶した録画データの検索方法として、録画データを要約した要約データ（ダイジェスト）を生成し、この要約データを利用して録画データを検索する方法（例えば特許文献１参照）や、録画データの一部の映像およびサムネイルを利用して録画データを検索する方法（例えば特許文献２参照）が開示されている。
【０００３】
具体的には、上述の特許文献１では、録画情報（録画日時や番組タイトル等）を一覧表示し、一覧表示された録画情報の中から、要約データを視聴したい録画情報をユーザが選択すると、選択された録画情報の要約データ再生画面へと画面遷移することにより、選択した録画情報の要約データを視聴して録画データを検索することが記載されている。また、上述の特許文献２では、複数の録画データのサムネイルおよび録画情報を一画面に並べて表示し、ユーザが何れか１のサムネイルを選択すると、選択されたサムネイルのみが動画に切替わり、この動画を視聴して録画データを検索することが記載されている。
【先行技術文献】
【特許文献】
【０００４】
【特許文献１】特開２００１−１５５４７０号公報
【特許文献２】特開２００３−３１９２９５号公報
【発明の概要】
【発明が解決しようとする課題】
【０００５】
しかし、前者の検索方法では、録画情報の一覧画面と要約データ再生画面とが別画面で構成されていることから、ユーザが順次要約データを視聴するには、ダイジェスト再生画面と録画情報の一覧画面とをその都度切替えなければならず操作が煩雑であるとともに、検索に係る時間を多分に要し非効率的である。また、後者の検索方法では、サムネイルから切替わる動画は、録画データの先頭から順次読み出され再生されるものである。従って、録画データの先頭部分からその内容を把握できない場合には、長時間にわたり動画を視聴しなければならず大変不便である。
【０００６】
上記の問題に鑑み、本発明は、操作性に優れるとともに、効率良く録画データの検索を行い得る録画データ再生装置、コンテンツ制御システム、表示装置、操作装置、再生方法、コンテンツ制御方法およびプログラムを提供することをその課題とする。
【課題を解決するための手段】
【０００７】
本発明の録画データ再生装置は、少なくとも映像情報から成るコンテンツと、当該コンテンツを識別するためのコンテンツ識別情報と、が関連付けられた１以上の録画データと、当該各録画データの再生回数に関する付帯情報と、を記憶する記憶手段と、コンテンツに基づいて、録画データの要約データを生成する要約データ生成手段と、コンテンツ識別情報を一覧表示した識別情報リストを生成するリスト生成手段と、生成した識別情報リストと、生成した少なくとも１の要約データの再生映像と、を同一画面に表示させる表示制御手段と、付帯情報に基づいて、各要約データの再生時間を可変させる再生制御手段と、を備えたことを特徴とする。
この場合、各コンテンツ識別情報には、各コンテンツの番組タイトルが更に含まれることが好ましい。
この場合、識別情報リストから、任意の１のコンテンツ識別情報を選択する手動選択手段、を更に備え、表示制御手段は、選択されたコンテンツ識別情報を含む録画データを要約した要約データの再生映像を表示させることが好ましい。
この場合、識別情報リストから、コンテンツ識別情報を順に選択する自動選択手段、を更に備え、表示制御手段は、選択されたコンテンツ識別情報を含む録画データを要約した要約データの再生映像を表示させることが好ましい。
この場合、表示制御手段は、録画データの通常再生を指示する再生ボタン、録画データの編集を指示する編集ボタン、および録画データの消去を指示する消去ボタン、の少なくとも１を、同一画面に更に表示させることが好ましい。
この場合、コンテンツ識別情報は、録画開始日時および録画チャンネルを含むとともに、記憶手段は、各録画データの再生回数に関する付帯情報を記憶しており、リスト生成手段は、コンテンツ識別情報および付帯情報の少なくとも一方に基づいて、識別情報リストのコンテンツ識別情報を並べ替えることが好ましい。
この場合、表示制御手段は、並べ替えを指示する並び替えボタンを同一画面に更に表示させることが好ましい。
この場合、表示制御手段は、識別情報リストの各コンテンツ識別情報に対応させて、当該コンテンツ識別情報を含む録画データを要約した要約データの一部となるサムネイルを、更に表示させることが好ましい。
本発明の他の録画データ再生装置は、少なくとも映像情報から成るコンテンツと、当該コンテンツを識別するためのコンテンツ識別情報と、が関連付けられた複数の録画データを記憶する記憶手段と、コンテンツに基づいて、録画データの要約データを生成する要約データ生成手段と、コンテンツ識別情報を一覧表示した識別情報リストを生成するリスト生成手段と、生成した識別情報リストと、生成した複数の要約データの再生映像と、を同一画面に表示させる表示制御手段と、表示装置に要約データを再生表示させながら録画データの再生候補の検索を行うための再生検索手段と、表示装置に要約データを再生表示させながら録画データの消去候補の検索を行うための消去検索手段と、を備え、再生検索手段における要約データの再生時間に比して、消去検索手段における要約データの再生時間が短いことを特徴とする。
本発明のコンテンツ制御システムは、コンテンツと、当該コンテンツを識別するためのコンテンツ識別情報が関連付けられた１以上の記録データを取得する記録データ取得手段と、各記録データの再生回数に関する付帯情報を、コンテンツに対応付けて記憶する記憶手段と、コンテンツに基づいて、記録データの要約データを生成する要約データ生成手段と、コンテンツ識別情報を一覧表示した識別情報リストを生成するリスト生成手段と、生成した識別情報リストと、生成した少なくとも１の要約データを、同一画面に表示させる表示制御手段と、を備え、付帯情報に基づいて、各要約データの再生時間を異ならせることを特徴とする。
本発明の他のコンテンツ制御システムは、コンテンツと、当該コンテンツを識別するためのコンテンツ識別情報が関連付けられた複数の記録データを取得する記録データ取得手段と、コンテンツに基づいて、記録データの要約データを生成する要約データ生成手段と、コンテンツ識別情報を一覧表示した識別情報リストを生成するリスト生成手段と、生成した識別情報リストと、生成した複数の要約データを、同一画面に表示させる表示制御手段と、表示装置に要約データを再生表示させながら記録データの再生候補の検索を行うための再生検索手段と、表示装置に要約データを再生表示させながら記録データの消去候補の検索を行うための消去検索手段と、を備え、再生検索手段における要約データの再生時間に比して、消去検索手段における要約データの再生時間が短いことを特徴とする。
本発明の表示装置は、上記の録画データ再生装置、若しくは上記のコンテンツ制御システムにおける同一画面を表示することを特徴とする。
本発明の操作装置は、上記の録画データ再生装置、若しくは上記のコンテンツ制御システムにおける表示制御手段によって同一画面に表示される識別情報リストから、任意の１のコンテンツ識別情報を選択することを特徴とする。
本発明の再生方法は、少なくとも映像情報から成るコンテンツと、当該コンテンツを識別するためのコンテンツ識別情報と、が関連付けられた１以上の録画データと、当該各録画データの再生回数に関する付帯情報と、を記憶する工程と、コンテンツに基づいて、録画データの要約データを生成する工程と、コンテンツ識別情報を一覧表示した識別情報リストを生成する工程と、生成した識別情報リストと、生成した少なくとも１の要約データの再生映像と、を同一画面に表示させる工程と、付帯情報に基づいて、各要約データの再生時間を可変させる工程と、を備えたことを特徴とする。
本発明の他の再生方法は、少なくとも映像情報から成るコンテンツと、当該コンテンツを識別するためのコンテンツ識別情報と、が関連付けられた複数の録画データを記憶する工程と、コンテンツに基づいて、録画データの要約データを生成する工程と、コンテンツ識別情報を一覧表示した識別情報リストを生成する工程と、生成した識別情報リストと、生成した複数の要約データの再生映像と、を同一画面に表示させる工程と、表示装置に要約データを再生表示させながら録画データの再生候補の検索を行う工程と、表示装置に要約データを再生表示させながら録画データの消去候補の検索を行う工程と、を備え、再生候補の検索を行う場合の要約データの再生時間に比して、消去候補の検索を行う場合の要約データの再生時間が短いことを特徴とする。
本発明のコンテンツ制御方法は、コンテンツと、当該コンテンツを識別するためのコンテンツ識別情報が関連付けられた１以上の記録データを取得する工程と、各記録データの再生回数に関する付帯情報を、コンテンツに対応付けて記憶する工程と、コンテンツに基づいて、記録データの要約データを生成する工程と、コンテンツ識別情報を一覧表示した識別情報リストを生成する工程と、生成した識別情報リストと、生成した少なくとも１の要約データを、同一画面に表示させる工程と、を備え、付帯情報に基づいて、各要約データの再生時間を異ならせることを特徴とする。
本発明の他のコンテンツ制御方法は、コンテンツと、当該コンテンツを識別するためのコンテンツ識別情報が関連付けられた複数の記録データを取得する工程と、コンテンツに基づいて、記録データの要約データを生成する工程と、コンテンツ識別情報を一覧表示した識別情報リストを生成する工程と、生成した識別情報リストと、生成した複数の要約データを、同一画面に表示させる工程と、表示装置に要約データを再生表示させながら記録データの再生候補の検索を行うための工程と、表示装置に要約データを再生表示させながら記録データの消去候補の検索を行うための工程と、を備え、再生候補の検索を行う場合の要約データの再生時間に比して、消去候補の検索を行う場合の要約データの再生時間が短いことを特徴とする。
本発明のプログラムは、コンピュータを、上記の録画データ再生装置、若しくは上記のコンテンツ制御システムにおける各手段として機能させることを特徴とする。
なお、以下の構成としても良い。
【０００８】
本発明の録画データ再生装置は、少なくとも映像情報から成るコンテンツと、当該コンテンツを識別するためのコンテンツ識別情報と、が関連付けられた１以上の録画データと、当該各録画データの再生回数に関する付帯情報と、を記憶する記憶手段と、コンテンツに基づいて、録画データの要約データを生成する要約データ生成手段と、コンテンツ識別情報を一覧表示した識別情報リストを生成するリスト生成手段と、生成した識別情報リストと、生成した少なくとも１の要約データの再生映像と、を同一画面に表示させる表示制御手段と、付帯情報に基づいて、各要約データの再生時間を可変させる再生制御手段と、を備えたことを特徴とする。
【０００９】
この構成によれば、コンテンツ識別情報を一覧表示した識別情報リストと、生成した少なくとも１の要約データの再生映像と、を同一画面に一括して表示するので、ユーザは上述の同一画面を表示させるための操作を行うだけで、識別情報リストおよび要約データ再生映像の双方を、同時に視認することができる。すなわち、表示された画面を視認することによって、コンテンツ識別情報の一覧を視認するとともに、要約データの再生映像を視聴しながら録画データを検索することができるので、録画データの検索に係る手間や時間を大幅に削減し得る。また、録画データを要約した要約データを再生することから、単に録画データの先頭部分から順次読み出して再生することに比べ、容易に録画データの内容を把握することが可能となる。
また、この構成によれば、例えば録画データが未視聴であるか否かに応じて再生時間を変更したり、再生回数に比例して再生時間を減少させたりする制御が可能となる。すなわち、ユーザが録画データの内容を把握している可能性が高い場合には、要約データの再生時間を相対的に短縮することによって、録画データ検索における要約データの利用価値を維持しながら、検索に要する時間を短縮させることができる。
【００１０】
この場合、各コンテンツ識別情報には、各コンテンツの番組タイトルが更に含まれることが好ましい。
【００１１】
この構成によれば、コンテンツ識別情報として番組タイトルを更に表示することができる。すなわち、ユーザに対して提供する情報がより詳細となり、録画データの検索が更に容易となる。
【００１２】
また、この場合、識別情報リストから、任意の１のコンテンツ識別情報を選択する手動選択手段、を更に備え、表示制御手段は、選択されたコンテンツ識別情報を含む録画データを要約した要約データの再生映像を表示させることが好ましい。
【００１３】
この構成によれば、要約データの再生対象となる任意の１のコンテンツ識別情報を識別情報リストにおいて選択することができる。従って、ユーザは何れか１のコンテンツ識別情報を選択する選択操作を行うだけで、様々な要約データを視聴することが可能となり、更に効率よく録画データの検索を行うことができる。
【００１４】
また、この場合、識別情報リストから、コンテンツ識別情報を順に選択する自動選択手段、を更に備え、表示制御手段は、選択されたコンテンツ識別情報を含む録画データを要約した要約データの再生映像を表示させることが好ましい。
【００１５】
この構成によれば、識別情報リストにおいて順にコンテンツ識別情報が選択されるので、これに同期して表示される要約データの再生映像も切替わることとなる。すなわち、ユーザが何れの操作を行う必要なく様々な要約データを視聴することが可能となり、更に操作性が向上する。なお、コンテンツ識別情報の選択順は、識別情報リストの並び順に限らずランダムに選択してもよい。
【００１６】
また、この場合、表示制御手段は、録画データの通常再生を指示する再生ボタン、録画データの編集を指示する編集ボタン、および録画データの消去を指示する消去ボタン、の少なくとも１を、同一画面に更に表示させることが好ましい。
【００１７】
この構成によれば、上述の同一画面から、録画データを通常再生する再生処理、録画データを編集する編集処理、および録画データを消去する消去処理のうち、少なくとも何れか１の処理へと移行することができる。すなわち、ユーザが何れか１のボタンを選択するだけで所望の処理へと移行するので、ユーザが各種処理へ移行させるための煩雑な操作を行う必要がない。
【００１８】
また、この場合、コンテンツ識別情報は、録画開始日時および録画チャンネルを含むとともに、記憶手段は、各録画データの再生回数に関する付帯情報を記憶しており、リスト生成手段は、コンテンツ識別情報および付帯情報の少なくとも一方に基づいて、識別情報リストのコンテンツ識別情報を並べ替えることが好ましい。
【００１９】
この構成によれば、識別情報および付帯情報のうち少なくとも一方に基づいて、コンテンツ識別情報を並び替えることができるので、所望のコンテンツ識別情報が特定しやすい。なお、並び替えの例としては、録画開始日時の時系列順や、未視聴のものを上位に並べたり、コンテンツの番組ジャンル別に並べたりすることが想定できる。
【００２０】
また、この場合、表示制御手段は、並べ替えを指示する並び替えボタンを同一画面に更に表示させることが好ましい。
【００２１】
この構成によれば、識別情報リストの各コンテンツ識別情報を並び替える並び替えボタンを更に表示することにより、ユーザが行う並び替えのための操作が容易となる。
【００２２】
また、この場合、表示制御手段は、識別情報リストの各コンテンツ識別情報に対応させて、当該コンテンツ識別情報を含む録画データを要約した要約データの一部となるサムネイルを、更に表示させることが好ましい。
【００２３】
この構成によれば、識別情報とこれに対応するサムネイルとが隣接して表示されるので、識別情報で表された録画データを更に映像（イメージ）で把握することができ、録画データを更に検索し易くなる。
【００２４】
本発明の他の録画データ再生装置は、少なくとも映像情報から成るコンテンツと、当該コンテンツを識別するためのコンテンツ識別情報と、が関連付けられた１以上の録画データを記憶する記憶手段と、コンテンツに基づいて、録画データの要約データを生成する要約データ生成手段と、コンテンツ識別情報を一覧表示した識別情報リストを生成するリスト生成手段と、生成した識別情報リストと、生成した少なくとも１の要約データの再生映像と、を同一画面に表示させる表示制御手段と、表示装置に要約データを再生表示させながら録画データの再生候補の検索を行うための再生検索手段と、表示装置に要約データを再生表示させながら録画データの消去候補の検索を行うための消去検索手段と、を備え、再生検索手段における要約データの再生時間に比して、消去検索手段における要約データの再生時間が短いことを特徴とする。
【００２５】
この構成によれば、消去候補となる録画データを検索する場合に、ユーザが要約データを長時間視聴する手間を省くことができる。すなわち、検索の目的に応じて要約データの再生時間を変更することで、更に検索の効率を向上させることができる。
【００２６】
本発明のプログラムは、上記の録画データ再生装置における各手段として機能させるためのものであることを特徴とする。
【００２７】
このプログラムを用いることにより、操作性に優れるとともに、効率良く録画データの検索を行い得る録画データ再生装置を実現することができる。
【図面の簡単な説明】
【００２８】
【図１】本発明の一実施形態に係る録画データ再生装置のブロック構成図である。
【図２】録画完了時に実行される録画データ再生装置の制御フローである。
【図３】要約データの再生映像および識別情報リストを同一画面で表示するリスト・再生画面の一例を示す図である。
【図４】識別情報リストにおける１のコンテンツ識別情報の選択制御を表すフローチャートである。
【図５】識別情報リストの並び替えの一例を説明するための説明図である。
【図６】付帯情報に基づく再生時間可変の制御フローである。
【図７】検索種別選択の一例を説明するための説明図である。
【図８】検索種別に基づく再生時間短縮の制御フローである。
【発明を実施するための形態】
【００２９】
以下、本発明の一実施形態に係る録画データ再生装置、コンテンツ制御システム、表示装置、操作装置、再生方法、コンテンツ制御方法およびプログラムについて、添付図面を参照しながら詳細に説明する。図１は、本発明の一実施形態に係る録画データ再生装置１０のブロック構成図である。同図に示すように、録画データ再生装置１０（コンテンツ制御システム）は、外部から少なくとも映像情報を含むコンテンツを取得するコンテンツ取得部２０と、各種制御を行う制御部３０と、コンテンツを録画した録画データ（記録データ）を記憶する記憶部４０と、録画データや要約データの再生、並びに録画データや要約データの再生映像を表示装置９１に表示するための制御を行う再生・表示部５０と、から構成される。
【００３０】
コンテンツ取得部２０は、受信アンテナ８１から地上波、ＢＳ、ＣＳ等のテレビジョン放送を受信する場合、いわゆるチューナが主要構成要素となる。また、外部機器８２（外部出力端子を有するテレビ、パーソナルコンピュータ、各種チューナ等）からコンテンツを取得する場合は、外部入力端子がコンテンツ取得部２０の主要構成要素となる。なお、特に図示しないが、コンテンツ取得部２０は、インターネットなど通信網を介して配信される映像情報を取得することも可能であり、コンテンツ取得部２０として、各種半導体メモリや光ディスクの読取装置を搭載している場合は、それらに記録されているコンテンツを取得することも可能である。また、コンテンツ取得部２０は、コンテンツの取得元（例えばテレビ放送局等）から、例えば電子番組ガイド（ＥＰＧ：Electric Program Guide）として、そのコンテンツの番組タイトルや番組ジャンルといったコンテンツに関する詳細情報をコンテンツとともに取得することが可能である。
【００３１】
制御部３０は、録画データ再生装置１０の各部を統括して各種制御を行うものであり、具体的には、取得したコンテンツを録画するコンテンツ録画部３１と、録画したコンテンツに基づいて要約データを生成する要約データ生成部３２と、録画データのサムネイルデータを生成するサムネイルデータ生成部３３と、要約データの再生を制御する再生制御部３４と、コンテンツを識別するためのコンテンツ識別情報ＣＩ（後述する；図３参照）を一覧表示する識別情報リスト１２０（図３参照）を生成するリスト生成部３５と、識別情報リスト１２０から、１のコンテンツ識別情報ＣＩを選択する選択部３６と、を備えている。なお、選択部３６によるコンテンツ識別情報ＣＩの選択は、ユーザが録画データ再生装置１０に対して各種指示を行う例えばリモコン等のＵＩ入力装置９２から送信される信号に基づいて、任意の１のコンテンツ識別情報ＣＩを選択する場合（手動選択手段）と、識別情報リスト１２０から、コンテンツ識別情報ＣＩを順に選択する場合（自動選択手段）とが含まれる。
【００３２】
また、要約データ生成部３２によって生成される要約データは、録画したコンテンツから、要約データとして抽出する１以上の部分シーンの抽出開始位置および各抽出開始位置からの抽出時間に関するデータである。同様に、サムネイルデータ生成部３３によって生成されるサムネイルデータは、録画したコンテンツにおいて、サムネイルとして表示するシーン（画像）の抽出位置に関するデータである。なお、要約データとして抽出する各部分シーンの各抽出開始位置は、録画データのコンテンツ全体において分散して配置されている。すなわち、要約データは録画データ全体を要約したものとなる。
【００３３】
記憶部４０は、上記のコンテンツ録画部３１によって録画された録画データを記憶する録画データ記憶部４１と、要約データ生成部３２によって生成された要約データを記憶する要約データ記憶部４２と、サムネイルデータ生成部３３によって生成されたサムネイルデータを記憶するサムネイルデータ記憶部４３とを備えている。また、録画データ記憶部４１は、録画したコンテンツと、これを識別するためのコンテンツ識別情報ＣＩ（例えば録画開始日時および録画チャンネル等；コンテンツ取得部２０が番組タイトル等の詳細情報を取得した場合にはこれを含む）とを関連付け、これを録画データとして記憶するとともに、付帯情報として、録画データの再生回数を録画データ毎に記憶している。なお、再生回数の初期値は「０」であり、録画データ再生部５１により録画データの再生が実行されるたびに制御部３０がその数をカウントアップする。なお、要約データおよびサムネイルデータには、対応する録画データに関する情報（例えばコンテンツ識別情報ＣＩ）が付加されている。また、記憶部４０はハードディスク、各種半導体メモリ、各種光ディスク等により構成可能であり、その種類は問わない。
【００３４】
再生・表示部５０は、録画データを再生する録画データ再生部５１と、要約データを再生する要約データ再生部５２と、上述のリスト生成部３５により生成された識別情報リスト１２０および要約データの再生映像１１０を表示装置９１に表示させるための制御を行う表示制御部５３と、を備えている。
【００３５】
ここで、１のコンテンツに対する録画を完了した場合に、録画データ再生装置１０が行う制御について、図２のフローチャートを参照して簡単に説明する。同図に示すように、まずコンテンツ録画部３１においてコンテンツの録画を完了すると（Ｓ０１）、録画したコンテンツと、そのコンテンツを識別するためのコンテンツ識別情報ＣＩとが関連付けられ、録画データとして録画データ記憶部４１に記憶される（Ｓ０２）。なお、このとき上述の付帯情報は、再生回数「０」に設定される。そして、要約データ生成部３２において要約データが生成され（Ｓ０３）、要約データ記憶部４２に記憶される（Ｓ０４）。もちろん、要約データの生成を録画の実行と同期して行う構成でもよい。
【００３６】
さらに、サムネイルデータ生成部３３において、サムネイルデータが生成され（Ｓ０５）、サムネイルデータ記憶部４３に記憶される（Ｓ０６）。なお、本実施形態に係る録画データ再生装置１０では、サムネイルデータ生成部３３は要約データに含まれるシーン（画像）からサムネイルデータを生成する。これにより、サムネイルとして表示する画像を、そのコンテンツの主要部分に限定することができる。例えば要約データの先頭シーン（画像）をサムネイルとしてもよいし、要約データにハイライトシーン（スポーツの試合結果やドラマの結末など、そのコンテンツの特徴的なシーン）が含まれる場合には、このシーン（画像）をサムネイルとして表示してもよい。
【００３７】
続いて、表示制御部５３による制御によって表示装置９１に表示される表示画面について、図３を参照して具体的に説明する。同図は、識別情報リスト１２０および要約データの再生映像１１０を同一画面に表示する、リスト・再生画面Ｄ１の一例を表すものである。このリスト・再生画面Ｄ１は、例えば録画データ再生装置１０の電源ＯＮや、ユーザによるＵＩ入力装置９２を用いた所定の操作をトリガとして表示される。同図に示すように、リスト・再生画面Ｄ１は、要約データの再生映像を表示する再生映像表示部Ｄ１ａと、識別情報リスト１２０を表示するリスト表示部Ｄ１ｂと、録画データの再生や消去を実行する処理に移行するための各種機能ボタンが配置されたボタン配置部Ｄ１ｃと、を有している。
【００３８】
リスト表示部Ｄ１ｂには、録画データ記憶部４１に記憶された各録画データの各コンテンツ識別情報ＣＩが、識別情報リスト１２０として一覧表示される。具体的には、リスト・再生画面Ｄ１の表示が指示されると、リスト生成部３５が、録画データ記憶部４１のコンテンツ識別情報ＣＩを抽出し識別情報リスト１２０を生成する。そして、表示制御部５３が、生成された識別情報リスト１２０をリスト表示部Ｄ１ｂに表示させるための制御を実行し、これらの処理を経て識別情報リスト１２０がリスト表示部Ｄ１ｂに表示される。本実施形態に示す例では、コンテンツ識別情報ＣＩとして、番組タイトルおよび録画開始日時を記憶しており、識別情報リスト１２０には各録画データの番組タイトルおよび録画開始日時が表示されている。
【００３９】
また、識別情報リスト１２０の各コンテンツ識別情報ＣＩに対応する位置には、各録画データのサムネイル１３０を表示するサムネイル表示部Ｄ１ｄが配置しており、このサムネイル表示部Ｄ１ｄには、サムネイルデータ記憶部４３に記憶されたサムネイルデータに基づいてサムネイル１３０が表示される。具体的には、リスト・再生画面Ｄ１の表示が指示されると、表示制御部５３がコンテンツのコンテンツ識別情報ＣＩに対応するサムネイル１３０を、サムネイル表示部Ｄ１ｄに表示させる制御を行い、この処理が全ての録画データ数分繰り返される。
【００４０】
再生映像表示部Ｄ１ａには、要約データ再生部５２により再生される要約データの再生映像１１０が、表示制御部５３の制御により表示される。なお、再生映像表示部Ｄ１ａに表示される再生映像１１０は、識別情報リスト１２０において、上述の選択部３６が選択しているコンテンツ識別情報ＣＩの録画データを要約した要約データの再生映像となる。すなわち、要約データ再生部５２は、選択部３６が選択している１のコンテンツ識別情報ＣＩを含む録画データを録画データ記憶部４１から選択し、選択した録画データの要約データを要約データ記憶部４２から選択し要約データを再生する。また、選択部３６によって選択されているコンテンツ識別情報ＣＩは、表示制御部５３により例えば図示のように反転表示される。なお、要約データの再生に同期して、再生映像表示部Ｄ１ａに表示している要約データの再生映像１２０を、対応するサムネイル表示部Ｄ１ｄに縮小表示させてもよい。
【００４１】
ここで、選択部３６による１のコンテンツ識別情報ＣＩの選択制御について詳細に説明する。上述のように選択部３６による１のコンテンツ識別情報ＣＩの選択は、ＵＩ入力装置９２からの指示に基づいて、任意の１のコンテンツ識別情報ＣＩを選択する場合と、識別情報リスト１２０からコンテンツ識別情報ＣＩを順に選択する場合とが含まれる。以下、この制御について図４に示すフローチャートを参照しながら説明する。
【００４２】
同図に示すように、リスト・再生画面Ｄ１の表示に伴って（Ｓ１１）、選択部３６は例えば識別情報リスト１２０の最上位に位置するコンテンツ識別情報ＣＩを選択する（Ｓ１２）。そして、要約データ再生部５２は、選択されたコンテンツ識別情報ＣＩの要約データを再生する（Ｓ１３）。要約データの再生中に、ユーザがＵＩ入力装置９２を操作することにより、任意の１のコンテンツ識別情報ＣＩを選択すると（Ｓ１４：Ｙｅｓ）、要約データ再生部５２は、選択されたコンテンツ識別情報ＣＩの要約データの再生を開始する（Ｓ１３）。一方、ユーザが任意の１のコンテンツ識別情報ＣＩを選択することなく（Ｓ１４：Ｎｏ）要約データの再生が終了した場合（Ｓ１５）、選択部３６は、現在選択されているコンテンツ識別情報ＣＩが、識別情報リスト１２０の最後に位置するコンテンツ識別情報ＣＩであるか否かを判別し（Ｓ１６）、識別情報リスト１２０の最後に位置するコンテンツ識別情報ＣＩでない場合には（Ｓ１６：Ｎｏ）、識別情報リスト１２０において、現在選択されているコンテンツ識別情報ＣＩの次に位置するコンテンツ識別情報ＣＩを新たに選択する（Ｓ１７）。そして、要約データ再生部５２は、選択されたコンテンツ識別情報ＣＩの要約データを再生する（Ｓ１３）。これらの処理が、識別情報リスト１２０の最後に位置するコンテンツ識別情報ＣＩの要約データの再生が終了する（Ｓ１６：Ｙｅｓ）まで繰り返される。
【００４３】
なお、上述の例では、選択部３６が最初に選択するコンテンツ識別情報ＣＩを、識別情報リスト１２０の最上位に位置するコンテンツ識別情報ＣＩとしているが（Ｓ１２に該当）、他にも、録画開始日時が最新となる録画データのコンテンツ識別情報ＣＩを選択してもよいし、或いはリスト・再生画面Ｄ１の前回の表示を終了したときに選択されていたコンテンツ識別情報ＣＩを選択してもよい。また、識別情報リスト１２０の並び順にコンテンツ識別情報ＣＩを選択するのではなく（Ｓ１７に該当）、コンテンツ識別情報ＣＩをランダムに選択してもよい。さらに、全ての要約データの再生が終了した場合にも、リスト・再生画面Ｄ１の表示状態が継続している間は、要約データの再生を繰り返してもよい。
【００４４】
図３に示すリスト・再生画面Ｄ１の説明に戻る。リスト・再生画面Ｄ１下部に設けられたボタン配置部Ｄ１ｃには、録画データの通常再生を指示する再生ボタン１４１と、録画データの編集を指示する編集ボタン１４２と、録画データの消去を指示する消去ボタン１４３と、識別情報リスト１２０のコンテンツ識別情報ＣＩを並び替える並び替えボタン１４４とが配設している。従って、ユーザはこのリスト・再生画面Ｄ１が表示されている状態で、ＵＩ入力装置９２を用いて各ボタンを選択することにより、録画データの通常再生、編集、消去の各処理へと移行することができるとともに、識別情報リスト１２０のコンテンツ識別情報ＣＩを並び替えることができる。
【００４５】
例えば、ＵＩ入力装置９２において再生ボタンが選択されると、これを受け録画データ再生部５１が、録画データを再生する制御を実行し、表示制御部５３は、録画データの再生映像を表示する制御を実行する。なお、編集処理および録画データの消去処理については詳細な説明は省略するが、何れもＵＩ入力装置９２からの指示を受け、制御部３０がこれらの処理を実行するための制御を開始する。なお、これらのボタンを選択した場合に処理対象となる録画データは、識別情報リスト１２０において、選択部３６により選択されているコンテンツ識別情報ＣＩを含む録画データとなる。また本実施形態では、各処理へと移行するための「ボタン」を配設する例を説明したが、「ボタン」に代えて文字やアイコンを表示してもよい。
【００４６】
ここで、並び替えボタン１４４が選択された場合に行われる制御について、図５を参照して説明する。同図（ａ）に示すように、リスト・再生画面Ｄ１が表示された状態で、並び替えボタン１４４が選択されると、表示制御部５３は、同図（ｂ）に示す並び替え選択画面Ｄ２を表示装置９１に表示する。この並び替え選択画面Ｄ２は、コンテンツ識別情報ＣＩを並び替えるための並び替え条件を選択する画面である。本実施形態では、並び替え条件として「録画日時の新しい順」、「録画日時の古い順」、「ジャンル別」および「未試聴のものを上位に表示」の４つの条件を表示している（但し「ジャンル別」に並び替えるためには、コンテンツ取得部２０が各コンテンツの「番組ジャンル」を取得していることが条件となる）。
【００４７】
並び替え選択画面Ｄ２が表示されている状態で、ユーザがＵＩ入力装置９２を用いて並び替え条件を選択し、これを確定する操作を行うと、リスト生成部３５は、確定された並び替え条件に基づいて、コンテンツ識別情報ＣＩを並び替え、識別情報リスト１２０を生成する。例えば、並び替え条件として「録画日時の古い順」が確定された場合、リスト生成部３５は、コンテンツ識別情報ＣＩに含まれる録画開始日時の古い順にコンテンツ識別情報ＣＩを抽出してリストを生成する。さらに識別情報リスト１２０の生成処理が完了すると、表示制御部５３により、識別情報リスト１２０をリスト表示部Ｄ１ｂに表示する制御が実行され、同図（ｃ）に示すように、「録画日時の古い順」にコンテンツ識別情報ＣＩが並び替えられた識別情報リスト１２０が表示される。
【００４８】
同様に、例えば、並び替え条件として「ジャンル別」が確定された場合、リスト生成部３５は、コンテンツ識別情報ＣＩに含まれる番組ジャンル毎にコンテンツ識別情報ＣＩをグループ化してリストを生成する。また、並び替え条件として「未試聴のものを上位に表示」が確定された場合、リスト生成部３５は、録画データ記憶部４１の付帯情報に基づいて、再生回数が「０」であるコンテンツ識別情報ＣＩと、それ以外のコンテンツ識別情報ＣＩとを区分し、再生回数が「０」であるコンテンツ識別情報ＣＩから順にコンテンツ識別情報ＣＩを抽出してリストを生成する。また、次回識別情報リスト１２０生成時には、並び替え選択画面Ｄ２で選択された並び替え条件に従って識別情報リスト１２０が生成される。
【００４９】
続いて、再生制御部３４によって実行される要約データ再生に関する再生制御について詳細に説明する。上述のように、録画データ記憶部４１には、各録画データの再生回数に関する付帯情報が記憶されているが、再生制御部３４は、この付帯情報に基づいて、各要約データの再生時間を可変させる制御を行う。
【００５０】
図６は再生時間を可変させる制御フローである。同図に示すように、録画データ再生部５１により、録画データの再生が実行されると（Ｓ２１）、制御部３０は、録画データの再生回数をカウントアップして付帯情報を更新する（Ｓ２２）。この付帯情報の更新をトリガとして、再生制御部３４は、要約データの再生時間を変更する制御を実行する（Ｓ２３）。その後、上述のリスト・再生画面Ｄ１（図３参照）の表示に伴い（Ｓ２４：Ｙｅｓ）、要約データ再生部５２により要約データの再生が実行される（Ｓ２５）。
【００５１】
なお、「要約データの再生時間を変更する制御」（Ｓ２３に該当）とは、要約データとして抽出する各部分シーンの抽出時間を変更することを意味する。具体的には、付帯情報として記憶された再生回数に比例して、各部分シーンの抽出時間を短縮する。すなわち、付帯情報が更新される度に要約データを生成する。この場合、各部分シーンの抽出時間を均等に短縮させてもよいし、特定の部分シーンの抽出時間のみを極端に短縮させてもよい。
【００５２】
また、付帯情報が更新される度に要約データを生成するのではなく、予め最大時間分の要約データを生成しておき、その再生時間のみを可変させる方法もある。この場合、再生制御部３４は、要約データの再生実行に同期して、再生対象となる要約データに対応する録画データの付帯情報を参照しその再生時間を決定する。そして、要約データ再生部５２に対し決定した再生時間分の再生を行わせる。
【００５３】
なお、録画データの再生回数に比例して要約データの再生時間を短縮させるのではなく、録画データが未視聴であるか否か、すなわち再生回数が「０回」であるか否かに応じて再生時間を変更してもよい。また、再生回数に代えて、録画データの累積再生時間に応じて要約データの再生時間を変更する構成でもよい。このように、録画データの再生回数に応じて要約データの再生時間を可変させる、すなわちユーザが録画データの内容を把握している可能性が高い場合には、要約データの再生時間を相対的に短縮することにより、例えばユーザが上述のリスト・再生画面Ｄ１を利用して録画データを検索する場合などに、処理効率を向上させることが可能となる。
【００５４】
ところで、上述のリスト・再生画面Ｄ１は、ユーザが録画データを検索する場合に利用することが想定できるが、録画データの検索は、再生候補となる録画データを検索する場合と、消去候補となる録画データを検索する場合とが考えられる。そこで、本実施形態に係る録画データ再生装置１０において、それぞれ専用の検索処理を行う場合について、以下第２実施形態として説明する。
【００５５】
図７（ａ）は、ユーザがＵＩ入力装置９２を操作することにより検索の実行を指示した場合に、表示装置９１に表示される検索種別指定画面Ｄ３の一例を表すものである。この検索種別指定画面Ｄ３が表示された状態で、ユーザは、再生候補となる録画データの検索を行うか、消去候補となる録画データの検索を行うかを選択することができる。
【００５６】
そして、ユーザが検索の種別を選択し、これを確定する操作が行われると、制御部３０は、検索の種別に関する情報を制御部３０内に保持する。そして、再生制御部３４は、検索の種別が消去候補検索である場合には、ユーザが長時間要約データを視聴する手間を省くため、要約データの再生時間を短縮させる制御を実行する。なお、この場合処理の高速化を図るためには、予め最大時間分の要約データを生成しておき、その再生時間のみを短縮する制御を実行することが好ましい。これに同期して表示制御部５３は、同図（ｂ）に示すリスト・再生画面Ｄ１を表示する制御を実行する。なお、同図に示すリスト・再生画面Ｄ１には、各種の機能ボタンが配置しているが、例えば検索の種別が再生候補検索である場合には消去ボタン１４３を非表示とし、消去候補検索である場合には再生ボタン１４１を非表示としてもよい。
【００５７】
図８は、再生候補検索若しくは消去候補検索実行時の制御フローである。同図に示すように、検索種別指定画面Ｄ３においてユーザが検索の種別を選択し、これを確定する操作が行われると（Ｓ３１）、再生制御部３４は、検索種別が再生候補検索であるか消去候補検索であるかを判別する（Ｓ３２）。検索種別が消去候補である場合には（Ｓ３２：Ｎｏ）、再生時間を短縮させる制御を行う（Ｓ３３）。なお検索種別が再生候補である場合には（Ｓ３２：Ｙｅｓ）特に何もしない。そして、再生制御部３４による制御に同期して、表示制御部５３がリスト・再生画面Ｄ１（図７参照）を表示する制御を実行し、リスト・再生画面Ｄ１が表示装置９１に表示される（Ｓ３４）。
【００５８】
このように、第２実施形態に係る録画データ再生装置１０では、ユーザが検索の種別を選択し、検索種別が消去候補検索である場合に、再生制御部３４により要約データの再生時間が短縮されるので、消去候補となる録画データを検索する場合に、ユーザが要約データを長時間視聴する手間を省くことができる。すなわち、検索の目的に応じて要約データの再生時間を変更することで、更に検索の効率を向上させることができる。
【００５９】
以上説明したように、本発明の録画データ再生装置１０は、コンテンツ識別情報ＣＩを一覧表示した識別情報リスト１２０と、生成した少なくとも１の要約データの再生映像１１０と、を同一画面に表示するので、ユーザは上述のリスト・再生画面Ｄ１を表示させる操作を行うだけで、識別情報リスト１２０および要約データ再生映像１１０の双方を、同時に視認することができる。また、このとき録画データの再生回数に応じて要約データの再生時間を可変させるので、例えばユーザがこのリスト・再生画面Ｄ１を利用して録画データを検索する場合には、処理効率をさらに向上させることが可能となる。
【００６０】
なお、上述の説明では、ユーザがＵＩ入力装置９２を用いて各種の操作指示を行う構成を説明したが、ＵＩ入力装置９２に代えて、録画データ再生装置１０に操作部を設け、この操作部を用いてユーザが各種の操作指示を行う構成でもよい。
【００６１】
また、再生制御部３４による録画データの付帯情報に応じた要約データの再生時間の可変に加え、要約データとして抽出する各部分シーンの抽出位置を変更してもよい。この場合、例えばコンテンツ全体のうち前半部分のみを各部分シーンの抽出対象として限定する等の例が考えられる。この構成により、例えば録画データが未視聴の場合には、録画データの結末部分を除いて要約データを生成するなど、さらに多様な要約データの再生制御が実現できる。特に、番組ジャンルがアニメ、ドラマ、映画、スポーツ番組等に該当する、ストーリー性を有するコンテンツの場合この制御は有効である。
【００６２】
また、上記の各実施形態に示した録画データ再生装置１０における各部、並びに各機能をプログラムとして提供することも可能である。また、そのプログラムを記録媒体（図示省略）に格納して提供することも可能である。記録媒体としては、ＣＤ―ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスク、フレキシブルディスクおよびハードディスク等を利用することができる。
【００６３】
さらに、上述した実施例によらず、装置構成や処理工程等について、本発明の要旨を逸脱しない範囲で、適宜変更も可能である。
【符号の説明】
【００６４】
１０    録画データ再生装置
３０    制御部
３２    要約データ生成部
３４    再生制御部
３５    リスト生成部
３６    選択部
４０    記憶部
４１    録画データ記憶部
５０    再生・表示部
５３    表示制御部
１１０  再生映像
１２０  識別情報リスト
ＣＩ    コンテンツ識別情報
Ｄ１    リスト・再生画面
【図１】
0004739345.tif 000002
【図２】
0004739345.tif 000003
【図３】
0004739345.tif 000004
【図４】
0004739345.tif 000005
【図５】
0004739345.tif 000006
【図６】
0004739345.tif 000007
【図７】
0004739345.tif 000008
【図８】
0004739345.tif 000009